(57)【要約】【課題】メニュー選択画面や番組表の選択画面においては、カーソルキーと決定キーの組み合わせにより、各メニュー項目が選定されており、カーソルキーの複数回の押圧動作と決定キーの押圧動作の組み合わせ動作が煩雑でリモコン操作が非常に煩わしいものである。【解決手段】リモコント装置のキー操作により画面表示された項目選択を制御し、前記リモコン装置の操作部上の特定の配置関係に設置された複数の操作キーの操作により、前記項目選択を直接に制御する表示装置である。例えば、メニュー非表示時に、リモコン装置の横に並んだ複数のキーを押すことで、ダイレクトに表示画面上のメニュー項目を選択するように構成したことを特徴とする。【選択図】図１
2008217322.tif 000002
【特許請求の範囲】
【請求項１】
リモートコントロール装置のキー操作により画面表示された項目選択を制御する表示装置において、
前記リモートコントロール装置の操作部上に特定の配置関係により設置されている複数の操作キーの操作により、前記項目選択を直接に制御するように構成したことを特徴とする表示装置。
【請求項２】
請求項１に記載の表示装置において、
前記項目が、前記表示装置に備えられた機能のメニュー項目であることを特徴とする表示装置。
【請求項３】
請求項１に記載の表示装置において、
前記項目が、前記表示装置に備えられた階層性のある複数の機能のメニュー項目であることを特徴とする表示装置。
【請求項４】
請求項１に記載の表示装置において、
前記項目が、前記表示装置が表示する番組表の各番組データであることを特徴とする表示装置。
【請求項５】
請求項１ないし請求項４のいずれかに記載の表示装置において、
メニュー非表示時に、前記リモートコントロール装置の操作部上に横に並んだ複数のキーを押すことで、ダイレクトにメニュー項目を選択するように構成したことを特徴とする表示装置。
【請求項６】
請求項１ないし請求項４のいずれかに記載の表示装置において、
メニュー表示時に、前記リモートコントロール装置の操作部上のテンキーを押すことで、ダイレクトにメニュー項目を選択するように構成したことを特徴とする表示装置。
【請求項７】
請求項１ないし請求項４のいずれかに記載の表示装置において、
前記リモートコントロール装置の操作部上のテンキーの連続入力により深い階層のメニュー項目を選択するように構成したことを特徴とする表示装置。
【請求項８】
請求項１ないし請求項４のいずれかに記載の表示装置において、
前記リモートコントロール装置の操作部上の上下左右の４隅に配置されたキーを押すことで、番組表をその方向にいっきにスクロールするように構成したことを特徴とする表示装置。
【請求項９】
請求項１ないし請求項４のいずれかに記載の表示装置において、
前記リモートコントロール装置の操作部上の一列に並んだ複数のキーを順次押すことで、番組表をその方向にスクロールするように構成したことを特徴とする表示装置。
【請求項１０】
請求項９に記載の表示装置において、
前記一列に並んだ複数のキーを順次押す速度に対応して、前記番組表のスクロール速度を変更するように構成したことを特徴とする表示装置。
【請求項１１】
表示装置の画面に表示された項目選択を、キー操作により制御するリモートコントロール装置において、
操作部上の特定の配置関係に設置された複数の操作キーの操作により、前記表示装置の画面に表示された前記項目選択を直接に制御するように構成したことを特徴とするリモートコントロール装置。
【請求項１２】
請求項１１に記載のリモートコントロール装置において、
前記項目が、前記表示装置に備えられた機能のメニュー項目であることを特徴とするリモートコントロール装置。
【請求項１３】
請求項１１に記載のリモートコントロール装置において、
前記項目が、前記表示装置に備えられた階層性のある複数の機能のメニュー項目であることを特徴とするリモートコントロール装置。
【請求項１４】
請求項１１に記載のリモートコントロール装置において、
前記項目が、前記表示装置が表示する番組表の各番組データであることを特徴とするリモートコントロール装置。
【請求項１５】
請求項１１ないし請求項１４のいずれかに記載のリモートコントロール装置において、
前記表示装置のメニュー非表示時に、操作部上の横に並んだ複数のキーを押すことで、ダイレクトにメニュー項目を選択するように構成したことを特徴とするリモートコントロール装置。
【請求項１６】
請求項１１ないし請求項１４のいずれかに記載のリモートコントロール装置において、
前記表示装置のメニュー表示時に、操作部上のテンキーを押すことで、ダイレクトにメニュー項目を選択するように構成したことを特徴とするリモートコントロール装置。
【請求項１７】
請求項１１ないし請求項１４のいずれかに記載のリモートコントロール装置において、
操作部上のテンキーの連続入力で深い階層のメニュー項目を選択するように構成したことを特徴とするリモートコントロール装置。
【請求項１８】
請求項１１ないし請求項１４のいずれかに記載のリモートコントロール装置において、
操作部上の上下左右の４隅に配置されたキーを押すことで、番組表をその方向にいっきにスクロールするように構成したことを特徴とするリモートコントロール装置。
【請求項１９】
請求項１１ないし請求項１４のいずれかに記載のリモートコントロール装置において、
操作部上の一列に並んだ複数のキーを順次押すことで、番組表をその方向にスクロールするように構成したことを特徴とするリモートコントロール装置。
【請求項２０】
請求項１９に記載のリモートコントロール装置において、
前記一列に並んだ複数のキーを順次押す速度に対応して、前記番組表のスクロール速度を変更するように構成したことを特徴とするリモートコントロール装置。
【発明の詳細な説明】
【技術分野】
【０００１】
本発明は、表示装置及びリモートコントロール装置に関し、特に、リモコンのキーの並びから連想できるキーでメニュー等をショートカットする機能を備えた表示装置及びリモートコントロール装置に関する。
【背景技術】
【０００２】
テレビ放送もデジタル信号時代に入り、通信のインフラも従来の地上波放送、放送衛星を用いたＢＳ・ＣＳ放送、ケーブルテレビ（ＣＡＴＶ）放送、インターネットによる番組配信サービス放送、サーバー型放送等種々のブロードバンド型放送サービスが予定されている。また、テレビとパソコンの融合、テレビと通信の融合等も近づいている。
【０００３】
映像・音声機器においては、多機能化及びサービスの多様化に対応し、映像機器に関しては、ＢＳ／ＣＳ衛星デジタル放送やＣＡＴＶの普及により多チャンネル化が進んでおり、さらに今後は、地上デジタル放送サービスが本格的に開始され、インターネット経由のブロードバンド放送なども普及するため、多チャンネル化の傾向が続くものと考えられる。放送以外にも、ビデオデッキやＤＶＤプレイヤー、ハードディスクレコーダなどの再生映像が視聴されるため、映像機器の多サービス化も進むものと考えられる。
【０００４】
このため、映像・音声機器において、操作の種類やチャンネル数が増大するのに応じて、リモコン装置の操作ボタン数も増大し、操作方法も複雑なものとなってきている。リモコン装置表面の限られたスペースに多種多様な操作ボタンが配列されており、ユーザにとってはリモコン操作が非常に煩わしく難解なものとなっているのが現状である。
【０００５】
また、昨今では、あらゆる電気機器や電子機器にリモコン装置が付属しており、ユーザは室内の離れた場所からこれらの機器をリモコン操作することができるようになっている。例えば、ビデオデッキ、テレビ、ＤＶＤプレイヤーなどの映像機器、ＣＤプレイヤーやＭＤプレイヤーなどの音響機器、エアコンなどの空調機器には、リモコン装置が付属しているのが一般的である。リモコン装置は、複数の操作ボタン又は操作パネルを備えており、赤外線などの光通信により操作対象機器に対して制御信号を送信するものが主流である。
【０００６】
家庭用・業務用の電気機器や電子機器においても、ユーザの多様なニーズに応えるべく、マイコン制御などにより多様な機能、操作モードが搭載されているが、ユーザは機器表面の操作パネルや付属のリモコン装置により多数の操作メニューから所望の操作を選択して実行しなければならず、多機能化の反面で操作が煩雑化している。
【０００７】
特許文献１には、リモートコントロール信号を受信する信号受信手段と、受信装置本体に設けられたキー群の操作にてメニュー表示を行うとともに、利用者の前記キーの操作に従って処理を行う手段と、前記キーの操作によりリモコン学習モードが設定された状態でリモコン送信機の操作を利用者に求め、その際に受信した信号を当該操作の信号として記憶する手段と、前記記憶した内容にて前記リモコン送信機からのリモートコントロール信号を処理する手段と、を備えたことを特徴とするテレビジョン受信装置が記載されており、別メーカのリモコン送信機を使えるようにする技術が開示されている。
【０００８】
また、特許文献２には、表示装置を含む多数の機器を遠隔制御する統合リモコンの制御方法において、前記統合リモコンの外部入力選択ボタンが選択されると、以降に選択される入力ボタンに関わる情報を格納するステップと、前記格納されている入力ボタンに関わる情報が、前記表示装置の外部入力の選択と関連する入力ボタンの情報であるか否かを判断するステップと、前記格納されている入力ボタンに関わる情報が、前記表示装置の外部入力の選択と関連する入力ボタンの情報である場合、統合リモコンの機器モードを表示装置モードに変更するステップと、前記格納されている入力ボタンに関わる情報、及び前記変更された統合リモコンの機器モードに応じてキーコードを送出するステップと、を含むことを特徴とする統合リモコンの制御方法が記載されており、統合リモコンの機器モードを複数回変更することなく、統合リモコンを用いて、テレビジョンのような表示装置の外部入力を選択できる統合リモコンの制御方法が開示されている。
【０００９】
更に、特許文献３には、表示部を備えた機器と、前記機器を遠隔操作するリモコン装置とを含んだリモコンシステムであって、前記表示部において、前記リモコン装置の操作ボタンの一部又は全部と、前記機器において利用可能な機能又はサービスの一部又は全部とを表示する第１の手段と、前記リモコン装置により、前記表示部に表示された１の操作ボタンと１以上の機能又はサービスとを関連付ける操作を行わせる第２の手段と、を有するリモコンシステムが記載されており、操作対象機器の表示装置において、リモコン装置による操作に応じた表示を行うことにより、ユーザが視覚的にリモコン操作を行うのを可能にするリモコン装置及び表示装置が開示されている。
【００１０】
ここで、従来の表示装置、特に、デジタルテレビジョン受信装置のリモートコントロール装置を例にして、メニュー操作及び番組表操作の典型例を図６及び図７に示す。
【００１１】
図６はメニュー操作の典型例を示している。図６では、６１はリモートコントロール装置、６２はメニューキー、６３は左右カーソルキー、６４は上下カーソルキー、６５は決定キーを示す。６６は表示装置の各表示画面を示している。図６において、リモートコントロール装置６１のメニューキー６２を押して、表示画面６６に、１）メニューの画面を表示する。次いで、左右カーソルキー６３を操作して、例えば、左右カーソルキー６３のうち、右カーソルキーを３回押して、例えば、「機能切換」のメニュー項目を選択する。
【００１２】
「機能切換」には、下位の階層に、画面サイズ、オートワイド、映像入／切、ブルーバック、オフタイマー設定、オンタイマー設定、無操作電源オフ、無信号電源オフ、映像反転、ゲーム経過時間表示、チャイルドロック等のメニュー項目が下方に展開されているので、例えば、上下カーソルキー６４のうち、下カーソルキーを１回押して、「オートワイド」のメニュー項目を選択する。
【００１３】
この状態で、決定キー６５を押すと、「オートワイド」の選択が決定され、「オートワイド」のメニュー項目の下位に、映像判別、Ｓ２対応、ＩＤ−１対応、Ｄ端子自動判別のメニュー項目が展開される。ここで、例えば、上下カーソルキー６４のうち、下カーソルキーを３回押し、決定キー６５を押して、「ＩＤ−１対応」の選択を決定する。「ＩＤ−１対応」には、「入」と「切」の２つの操作があるので、上下カーソルキー６４のうち、上カーソルキーを１回押して、「入」を選択して、この状態で、決定キー６５を押すと、「ＩＤ−１対応」機能の「入」の条件が設定される。以上のように、メニュー選択画面の各メニュー項目は、左右カーソルキー６３と上下カーソルキー６４と決定キー６５の複数の操作の組み合わせにより、必要な項目の選択／決定が行われる。
【００１４】
図７は、番組表操作の典型例を示している。図７では、７１はリモートコントロール装置、７２は番組表キー、７３は左右カーソルキー、７４は上下カーソルキー、７５は表示装置の各表示画面を示している。図７において、リモートコントロール装置７１の番組表キー７２を押して、表示画面７５に、１）番組表を表示する。次いで、例えば、上下カーソルキー７４のうち、下カーソルキーを３回押して、例えば、「ＮＮＮダッシュ」の番組のメニュー項目を選択する。また、例えば、更に、左右カーソルキー７３の右カーソルキーを２回押して、「アフタヌーンワイドＮｅｗｓＰＡＲＴ１」の番組のメニュー項目を選択する。以上のように、番組表の選択画面の各番組のメニュー項目は、左右カーソルキー７３と上下カーソルキー７４の複数の操作の組み合わせにより、必要な番組項目の選択／決定が行われる。
【特許文献１】特開２００２−３００４２０号公報
【特許文献２】特開２００４−１２９２３６号公報
【特許文献３】特開２００５−１４２６７５号公報
【発明の開示】
【発明が解決しようとする課題】
【００１５】
上記の従来技術においては、メニュー選択画面や番組表の選択画面において、主として、カーソルキーと決定キーの組み合わせにより、各メニュー項目が選定されており、カーソルキーの複数回の押圧動作と決定キーの押圧動作の組み合わせ動作が煩雑でリモコン操作が非常に煩わしいものであるという問題点がある。このことは、操作の種類やチャンネル数が増大するのに応じて、各メニュー項目が増大し、番組表の番組の選択項目が増加するにつれて、益々、リモコン操作が非常に煩わしく難解なものとなっている。
【課題を解決するための手段】
【００１６】
本発明の表示装置は、リモートコントロール装置のキー操作により画面表示された項目選択を制御し、前記リモートコントロール装置の操作部上の特定の配置関係に設置された複数の操作キーの操作により、前記項目選択を直接に制御するように構成したことを特徴とする。
また、前記項目が、前記表示装置に備えられた機能のメニュー項目であることを特徴とする。また、前記項目が、前記表示装置に備えられた階層性のある複数の機能のメニュー項目であることを特徴とする。また、前記項目が、前記表示装置が表示する番組表の各番組データであることを特徴とする。
【００１７】
本発明の表示装置は、メニュー非表示時に、横に並んだ複数のキーを押すことで、ダイレクトにメニュー項目を選択するように構成したことを特徴とする。また、メニュー表示時に、テンキーを押すことで、ダイレクトにメニュー項目を選択するように構成したことを特徴とする。また、テンキーの連続入力で深い階層のメニュー項目を選択するように構成したことを特徴とする。また、上下左右の４隅に配置されたキーを押すことで、番組表をその方向にいっきにスクロールするように構成したことを特徴とする。また、一列に並んだ複数のキーを順次押すことで、番組表をその方向にスクロールするように構成したことを特徴とし、一列に並んだ複数のキーを順次押す速度に対応して、番組表のスクロール速度を変更するように構成したことを特徴とする。
【００１８】
また、本発明のリモートコントロール装置は、表示装置の画面に表示された項目選択を、キー操作により制御し、操作部上の特定の配置関係に設置された複数の操作キーの操作により、前記表示装置の画面に表示された前記項目選択を直接に制御するように構成したことを特徴とする。また、前記項目が、前記表示装置に備えられた機能のメニュー項目であることを特徴とする。また、前記項目が、前記表示装置に備えられた階層性のある複数の機能のメニュー項目であることを特徴とする。また、前記項目が、前記表示装置が表示する番組表の各番組データであることを特徴とする。
【００１９】
また、本発明のリモートコントロール装置は、メニュー非表示時に、横に並んだ複数のキーを押すことで、ダイレクトにメニュー項目を選択するように構成したことを特徴とする。また、メニュー表示時に、テンキーを押すことで、ダイレクトにメニュー項目を選択するように構成したことを特徴とする。また、テンキーの連続入力で深い階層のメニュー項目を選択するように構成したことを特徴とする。また、上下左右の４隅に配置されたキーを押すことで、番組表をその方向にいっきにスクロールするように構成したことを特徴とする。また、一列に並んだ複数のキーを順次押すことで、番組表をその方向にスクロールするように構成し、一列に並んだ複数のキーを順次押す速度に対応して、番組表のスクロール速度を変更するように構成したことを特徴とする。
【発明の効果】
【００２０】
本発明によれば、リモコンのキーの並びから連想できるキーでメニュー等をショートカットすることができ、リモコン装置の操作性を向上し、迅速かつ容易な操作とすることができる。
【発明を実施するための最良の形態】
【００２１】
以下、図面を用いて、本発明の実施の形態について説明する。
【実施例１】
【００２２】
図１は、本発明の実施例１である表示装置及びリモートコントロール装置を示している。本発明の実施例１では、メニュー非表示時に横に並んだ４つのボタンを押すことでダイレクトに項目を選択する。
【００２３】
図１において、１１はリモートコントロール装置、１２は並列キー群、１３は青色キー、１４は赤色キー、１５は緑色キー、１６は黄色キー、１７は表示装置の表示画面を示す。青色キー１３、赤色キー１４、緑色キー１５、黄色キー１６は、通常の操作では、色相調整のメニュー画面が表示された際の各色を指定するためのキーとして用いられる。
【００２４】
本発明の実施例１では、並列キー群１２のこれらのキーが、メニュー選択画面のメニュー項目のダイレクトな選択に使用される。例えば、メニュー選択画面が表示されていない状態で、並列キー群１２の青色キー１３を押すと、メニュー選択画面の最も左に配置されている画像調整１）の項目の画面がダイレクトに選択されて、表示画面１７上に表示される。また、並列キー群１２の赤色キー１４を押すと、メニュー選択画面の次に配置されている音声調整２）の項目の画面がダイレクトに選択されて、表示画面１７上に表示される。
【００２５】
また、並列キー群１２の緑色キー１５を押すと、メニュー選択画面の次に配置されている本体設定３）の画面がダイレクトに選択されて、表示画面１７上に表示される。また、並列キー群１２の黄色キー１４を押すと、メニュー選択画面のその次に配置されている機能切換４）の項目の画面がダイレクトに選択されて、表示画面１７上に表示される。
【００２６】
更に、並列キー群１２の黄色キー１４を繰り返し押すことにより、その次の項目を順次選択するようにし、あるいは、並列キー群１２の黄色キー１４を押し続けることにより、選択項目をスクロール状に操作するように設定することもできる。以上のように、本発明の実施例１では、メニュー非表示時に横に並んだ４つのボタンを押すことでダイレクトに項目を選択し、迅速かつ容易にメニュー項目の選択を行うことができる。
【実施例２】
【００２７】
図２は、本発明の実施例２である表示装置及びリモートコントロール装置を示している。本発明の実施例２では、メニュー表示時に、テンキーを押すことで、ダイレクトに項目を選択する。
【００２８】
図２において、２１はリモートコントロール装置、２２は並列キー群、２３はテンキー、２４は黄色キー、２５は表示装置の表示画面を示す。並列キー群２２の各キーは、通常の操作では、色相調整のメニュー画面が表示された際の各色を指定するためのキーとして用いられ、黄色キー２４は黄色を指定するために用いられる。また、テンキー２３は通常は放送のチャンネル番号を指定する際等に用いられる。
【００２９】
本発明の実施例２では、テンキー２３が、メニュー表示時にダイレクトに項目を選択するために用いられる。図２において、例えば、並列キー群２２の黄色キー２４は押されて、機能切換１）のメニュー画面が、表示画面２５上に表示されているとする。機能切換１）には、その下層のメニュー項目として、画面サイズ、オートワイド、映像入／切などの項目が展開されている。このメニュー画面が表示されている状態で、例えば、テンキー２３のキー‘２’を押すと、機能切換１）の下層の２番目に展開されている「オートワイド」の項目がダイレクトに選択される。
【００３０】
また、テンキー２３のキー‘６’を押すと、機能切換１）の下層の６番目に展開されている「オンタイマー設定」の項目がダイレクトに選択され、テンキー２３のキー‘７’を押すと、機能切換１）の下層の７番目に展開されている「無操作電源オフ」の項目がダイレクトに選択され、テンキー２３のキー‘１１’を押すと、機能切換１）の下層の７番目に展開されている「無操作電源オフ」の項目がダイレクトに選択される。
【００３１】
以上のように、本発明の実施例２では、メニュー表示時に、テンキーを押すことで、ダイレクトに項目を選択し、メニュー項目の下層に展開されたメニュー項目についても迅速かつ容易に選択を行うことができる。なお、以上の説明では、並列キー群２２の黄色キー２４を押してメニュー選択画面の表示を行ったが、メニュー選択画面の表示は通常のメニューキーとカーソルキーを用いて選択・表示しても良い。
【実施例３】
【００３２】
図３は、本発明の実施例３である表示装置及びリモートコントロール装置を示している。本発明の実施例３では、テンキー連続入力で深い、階層にも簡単にアクセスする。
【００３３】
図３において、３１はリモートコントロール装置、３２はテンキー２、３３はテンキー３、３４はテンキー４、３５はメニューキー、３６は上下カーソルキー、３７は決定キー、３８は表示装置の各表示画面を示している。
【００３４】
今、例えば、通常のメニューキー３５を用いて、表示画面３８上にメニュー選択画面の表示を行っているとする。この状態で、‘４’であるテンキー３４を押すと、メニュー選択画面の４番目のメニュー項目である「機能切換」がダイレクトに選択され、機能切換の下層のメニュー項目が下方に展開表示される。次に‘２’であるテンキー３２を押すと、下方に下層展開された２番目の項目である「オートワイド」がダイレクトに選択され、オートワイド下層のメニュー項目が下方に展開表示される。次に‘３’であるテンキー３３を押すと、下層展開された３番目の項目である「ＩＤ−１対応」の機能がダイレクトに選択される。
【００３５】
その後は、「ＩＤ−１対応」の機能では「入」と「切」の設定が可能であるから、例えば、上下カーソルキー３６で、「入」または「切」を選択し、決定キー３７で、「入」または「切」を決定する。以上のように、本発明の実施例３では、テンキーを次々に押すことにより、下層に展開されたメニュー項目を次々に多層に亘ってダイレクトに選択することが可能であり、迅速かつ容易にメニュー項目の選択を行うことができる。
【実施例４】
【００３６】
図４は、本発明の実施例４である表示装置及びリモートコントロール装置を示している。本発明の実施例４では、４隅に配置された操作キーを押すことで、番組表等をその方向に一気にスクロールする。
【００３７】
図４において、４１はリモートコントロール装置、４２は番組表キー、４３は左上キー、４４は左下キー、４５は右上キー、４６は右下キー、４７は表示装置の各表示画面を示している。左上キー４３、左下キー４４、右上キー４５、右下キー４６は、カーソルキーの周囲に配置されており、通常操作では、左上キー４３は番組情報キー、左下キー４４は終了キー、右上キー４５はメニューキー、右下キー４６は終了キーとして用いられる。
【００３８】
本発明の実施例４では、この左上キー４３、左下キー４４、右上キー４５、及び右下キー４６を、表示画面４７に表示された番組表を４隅方向にスクロールするためのキーとして使用する。
【００３９】
図４において、まず、リモートコントロール装置４１の番組表キー４２を押して、表示画面４７上に、番組表を表示する。この状態で、左上キー４３を押すと番組表の中の一番左上に位置する番組へダイレクトにスクロールされる。また、左下キー４４を押すと番組表の中の一番左下に位置する番組へダイレクトにスクロールされ、右上キー４５を押すと番組表の中の一番右上に位置する番組へダイレクトにスクロールされ、同様に、右下キー４６を押すと番組表の中の一番右上に位置する番組へダイレクトにスクロールされる。
【００４０】
以上のように、本発明の実施例４では、４隅に配置された操作キーを押すことで、番組表等をその方向に一気にスクロールすることができ、多数の番組が詳細に表示された大型の番組表についても、必要な番組にダイレクトにスクロールして、迅速かつ容易に必要な番組の選択を行うことができる。
【実施例５】
【００４１】
図５は、本発明の実施例５である表示装置及びリモートコントロール装置を示している。本発明の実施例５では、横方向に並んで配置された操作キーを順次に押していくことで、番組表をスクロールすることができ、また、押していく速度に従い、スクロール速度を可変としながら、番組表等をその方向に一気にスクロールする。
【００４２】
図５において、５１はリモートコントロール装置、５２は番組表キー、５３は一列に配置されたキー群、５４は表示装置の各表示画面を示している。一列に配置されたキー群５３には、地上Ａキー、地上Ｄキー、ＢＳキー、ＣＳキーが含まれていて、通常は、地上Ａ放送、地上Ｄ放送、ＢＳ放送、ＣＳ放送の各放送を選択するために用いられる。本発明の実施例５では、横方向に一列に並んで配置されたキー群５３の操作キーを押していくことで、番組表を横方向にスクロールする、あるいは、押していく速度に従い、スクロール速度を可変としながら、番組表等をその方向に一気にスクロールする。
【００４３】
図５において、まず、番組表キー５２を押して、表示画面５４に番組表を表示する。この状態で、一列に配置されたキー群５３のキーを順次「地上Ａ→“地上Ｄ”→“ＢＳ”→“ＣＳ”」のように押すと、表示画面５４に表示された番組表が右側にスクロールする。また、一列に配置されたキー群５３のキーを順次「地上Ａ←“地上Ｄ”←“ＢＳ”←“ＣＳ”」のように押すと、表示画面５４に表示された番組表が左側にスクロールする。
【００４４】
また、一列に配置されたキー群５３のキーを「地上Ａ→“地上Ｄ”→“ＢＳ”→“ＣＳ”」のようにすばやく押すと、表示画面５４に表示された番組表が右側に急速にスクロールする。また、一列に配置されたキー群５３のキーを「地上Ａ←“地上Ｄ”←“ＢＳ”←“ＣＳ”」のようにすばやく押すと、表示画面５４に表示された番組表が左側に急速にスクロールする。一列に配置されたキー群５３のキーを順次押していく速度を変えることにより、スクロール速度を可変としながら、番組表等をその方向に一気にスクロールすることができる。
【図面の簡単な説明】
【００４５】
【図１】図１は、本発明の実施例１である表示装置及びリモートコントロール装置の操作を示す図である。
【図２】図２は、本発明の実施例２である表示装置及びリモートコントロール装置の操作を示す図である。
【図３】図３は、本発明の実施例３である表示装置及びリモートコントロール装置の操作を示す図である。
【図４】図４は、本発明の実施例４である表示装置及びリモートコントロール装置の操作を示す図である。
【図５】図５は、本発明の実施例４である表示装置及びリモートコントロール装置の操作を示す図である。
【図６】図６は、従来例の表示装置及びリモートコントロール装置の操作を示す図である。
【図７】図６は、他の従来例の表示装置及びリモートコントロール装置の操作を示す図である。
【符号の説明】
【００４６】
１１    リモートコントロール装置
１２    並列キー群
１３    青色キー
１４    赤色キー
１５    緑色キー
１６    黄色キー
１７    表示装置の表示画面
２１    リモートコントロール装置
２２    並列キー群
２３    テンキー
２４    黄色キー
２５    表示装置の表示画面
３１    リモートコントロール装置
３２    テンキー２
３３    テンキー３
３４    テンキー４
３５    メニューキー
３６    上下カーソルキー
３７    決定キー
３８    表示装置の表示画面
４１    リモートコントロール装置
４２    番組表キー
４３    左上キー
４４    左下キー
４５    右上キー
４６    右下キー
４７    表示装置の表示画面
５１    リモートコントロール装置
５２    番組表キー
５３    一列に配置されたキー群
５４    表示装置の表示画面
６１    リモートコントロール装置
６２    メニューキー
６３    左右カーソルキー
６４    上下カーソルキー
６５    決定キー
６６    表示装置の表示画面
７１    リモートコントロール装置
７２    番組表キー
７３    左右カーソルキー
７４    上下カーソルキー
７５    表示装置の表示画面
【図１】
2008217322.tif 000003
【図２】
2008217322.tif 000004
【図３】
2008217322.tif 000005
【図４】
2008217322.tif 000006
【図５】
2008217322.tif 000007
【図６】
2008217322.tif 000008
【図７】
2008217322.tif 000009